(57)【要約】【課題】ジュースの濃度や舌触りを容易に変更できるジューサーを提供する。【解決手段】電動機（図示せず）により回転駆動されると共に内部に粕を滞留させてジュースを分離するフィルター３０及びカッター（図示せず）を備えた分離籠（図示せず）とを有し、フィルター３０は、それぞれ上部が連結されると共に縦方向に並べられた多数の内周・外周くし歯５、１からなる内周フィルター７と、外周フィルター３からなり、外周フィルター３内に、内周フィルター７を円周方向の任意の位置で装着できるようにしたもので、外周フィルター３内に内周フィルター７を装着する際に、円周方向で内周フィルター７の位置を変えることにより、内周フィルター７の内周くし歯５と外周フィルター３の外周くし歯５とで形成されるフィルター全体としてくし歯の隙間が変えられ、それにより粕の通過する領域を変化させて、得られるジュースの濃度や舌触りを変化させることができる。【選択図】図１
2008104564.tif 000002
【特許請求の範囲】
【請求項１】
電動機を内蔵する本体と、前記電動機により回転駆動されると共に内部に粕を滞留させてジュースを分離するフィルター及びカッターを備えた分離籠とを有し、前記フィルターは、それぞれ上部が連結されると共に縦方向に並べられた多数のくし歯からなる内周フィルターと、外周フィルターから構成され、前記外周フィルター内に、前記内周フィルターを円周方向の任意の位置で装着できるようにしたジューサー。
【請求項２】
内周フィルター又は外周フィルターのくし歯をメッシュ状に形成した請求項１に記載のジューサー。
【請求項３】
内周フィルター又は外周フィルターのくし歯間をメッシュ状に形成した請求項１に記載のジューサー。
【請求項４】
内周フィルターに突起部を設け、外周フィルターの上部円周方向に沿って、前記突起部が嵌合する溝を複数個設けた請求項１〜３のいずれか１項に記載のジューサー。
【請求項５】
溝の深さを異ならせた請求項４に記載のジューサー。
【請求項６】
内周フィルターの上部に操作用の把手を回動自在に設けた請求項１〜５のいずれか１項に記載のジューサー。
【発明の詳細な説明】
【技術分野】
【０００１】
本発明は、ジューサーに関するもので、特に、家庭用の粕滞留型のジューサーに関するものである。
【背景技術】
【０００２】
従来のこの種のジューサーについて、図５及び図６を用いて説明する。図５は、従来のジューサーの断面図、図６は、同ジューサーのフィルターの断面図である。
【０００３】
図５、６において、従来のジューサーの本体２１は、電動機１７を内蔵すると共に、電動機１７によって回転駆動される分離籠１９を備えている。分離籠１９は、食品を切削するカッター１８と、切削された食品の粕とジュース分を分離するフィルター２０とを備え、電動機１７により回転駆動されるカッター１８が、食品を切削し、分離籠１９内に設けたフィルター２０に、食品を飛散、滞留させてジュースを遠心分離し取り出していた（例えば、特許文献１参照）。
【特許文献１】特開２０００−３３３８２４号公報
【発明の開示】
【発明が解決しようとする課題】
【０００４】
しかしながら、前記従来のジューサーの構成では、フィルター２０で同一食品を遠心分離すると、常に同一の濃度、同一の舌触りのジュースしか得られず、個人の嗜好にあったジュースを提供しにくいという課題があった。
【０００５】
本発明は、前記従来の課題を解決するもので、遠心分離して取り出すジュースの濃度や舌触りを、個人の嗜好に合わせて変えることができるジューサーを提供することを目的とする。
【課題を解決するための手段】
【０００６】
前記従来の課題を解決するため、本発明のジューサーは、電動機を内蔵する本体と、前記電動機により回転駆動されると共に内部に粕を滞留させてジュースを分離するフィルター及びカッターを備えた分離籠とを有し、前記フィルターは、それぞれ上部が連結されると共に縦方向に並べられた多数のくし歯からなる内周フィルターと、外周フィルターから構成され、前記外周フィルター内に、前記内周フィルターを円周方向の任意の位置で装着できるようにしたもので、外周フィルター内に内周フィルターを装着する際に、円周方向で位置を変えることにより、内周フィルターのくし歯と外周フィルターのくし歯を重ねてフィルター全体としてくし歯の隙間を広くしたり、或いは、内周フィルターのくし歯が外周フィルターのくし歯の間に位置して、フィルター全体としてくし歯の隙間を狭くすることができるので、それにより粕の通過する領域を変化させて、得られるジュースの濃度や舌触りを変化させることができる。
【発明の効果】
【０００７】
本発明のジューサーは、フィルターのくし歯間の隙間を広くしたり、狭くしたり調節することができるので、濃度の濃い、舌触りの強いジュースを遠心分離するときは、隙間を大きく、濃度の薄い、舌触りの少ないジュースを遠心分離するときは、隙間を狭くすることで使用者の嗜好にあったジュースを得ることができる。
【発明を実施するための最良の形態】
【０００８】
第１の発明は、電動機を内蔵する本体と、前記電動機により回転駆動されると共に内部に粕を滞留させてジュースを分離するフィルター及びカッターを備えた分離籠とを有し、前記フィルターは、それぞれ上部が連結されると共に縦方向に並べられた多数のくし歯からなる内周フィルターと、外周フィルターから構成され、前記外周フィルター内に、前記内周フィルターを円周方向の任意の位置で装着できるようにしたもので、外周フィルター内に内周フィルターを装着する際に、円周方向で位置を変えることにより、内周フィルターのくし歯と外周フィルターのくし歯を重ねてフィルター全体としてくし歯の隙間を広くしたり、或いは、内周フィルターのくし歯が外周フィルターのくし歯の間に位置して、フィルター全体としてくし歯の隙間を狭くすることができるので、それにより粕の通過する領域を変化させて、得られるジュースの濃度や舌触りを変化させることができる。
【０００９】
第２の発明は、特に、第１の発明の内周フィルター又は外周フィルターのくし歯をメッシュ状に形成したもので、メッシュを通過させない場合に比べ、舌触りをさらさらにすることができる。
【００１０】
第３の発明は、特に、第１の発明の内周フィルター又は外周フィルターのくし歯間をメッシュ状に形成したもので、さらさら感のあるジュースを遠心分離することができる。
【００１１】
第４の発明は、特に、第１〜３のいずれか一つの発明の内周フィルターに突起部を設け、外周フィルターの上部円周方向に沿って、前記突起部が嵌合する溝を複数個設けたもので、くし歯を任意の隙間で設定することができるので、ジュースの濃度や舌触りを自在に変更することができる。
【００１２】
第５の発明は、特に、第４の発明の溝の深さを異ならせたもので、内周フィルターと分離籠底面との隙間を変更することができるので、ジュースの濃度や舌触りを変更することができる。
【００１３】
第６の発明は、特に、第１〜５のいずれか一つの発明の内周フィルターの上部に操作用の把手を回動自在に設けたもので、把手を持ち上げて、内周フィルターの円周方向での位置を容易に変えられるで、ジュースの濃度変更の操作を容易に行うことができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態におけるジューサーのフィルターの斜視図である。なお、本実施の形態におけるジューサーの基本的な構成は、図５及び図６で示した従来のジューサーと実質的に同じなので、同一部品については同一符号を用いてその説明を省略し、本発明の特徴であるフィルター部分について、特に、説明する。
【００１６】
図１において、本実施の形態におけるジューサーのフィルター３０は、等間隔に、かつ縦方向に設けられた多数の外周くし歯１を上部外周枠体２に連結固定して形成された外周フィルター３と、外周フィルター３の外周くし歯１のフィルター隙間４よりも小さい隙間を有すると共に、等間隔に、かつ縦方向に設けられた多数の内周くし歯５を上部内周枠体６に連結固定して形成された内周フィルター７で構成されている。
【００１７】
内周フィルター７の上部内周枠体６の上部外周には、突起部８が設けられており、また、外周フィルター３の上部外周枠体２の上部円周方向に沿って、前記突起部８が嵌合する溝９が複数縦方向に設けられてる。溝９の配置は各溝９の位置で、内周くし歯５によって塞がれるフィルター隙間４の間隔が大小と調整できるように配置されている。
【００１８】
果物などの被調理物（図示せず）をカッター１８で摩り下ろし、遠心分離によりジュースを抽出するジューサーにおいては、フィルター自体の間隔で、遠心分離されるジュースの繊維量などが決まるが、本実施の形態では、外周フィルター３の上部外周枠体３の円周方向に沿って設けた溝９に、内周フィルター７に設けた突起部８を装着する際に、使用する溝９の位置を変えることにより、フィルター隙間４と内周くし歯５で形成されるフィルター自体の間隔を多段階に調整できるので、使用者の嗜好に合わせて、濃度や舌触りの異なるジュースを得ることができる。
【００１９】
（実施の形態２）
図２は、本発明の第２の実施の形態におけるジューサーのフィルターの斜視図である。なお、上記第１の実施の形態におけるジューサーと同一部品については、同一符号を用いてその説明を省略する。
【００２０】
本実施の形態におけるジューサーのフィルター３５は、図２に示すように、内周フィルター７の隣り合う内周くし歯５間にメッシュ１０を設けたもので、他の構成は、上記第１の実施の形態におけるジューサーのフィルター３０と同一である。
【００２１】
以上のように、本実施の形態によれば、内周フィルター７の突起部８を外周フィルター３の溝９にセットすることにより、外周フィルター３の隙間４がメッシュ１０で覆われるので、メッシュ１０によりさらさら感のある濃度や舌触りを任意に調整することができる。
【００２２】
（実施の形態３）
図３は、本発明の第３の実施の形態におけるジューサーのフィルターの斜視図である。なお、上記実施の形態と同一部分には、同一符号を付して、その説明を省略し、相違点についてのみ説明する。
【００２３】
本実施の形態におけるジューサーのフィルター４０は、図３に示すように、内周フィルター７の内周くし歯１１自体をメッシュ状に形成したものである。
【００２４】
以上のように、本実施の形態によれば、内周フィルター７の突起部８を装着する外周フィルターの溝９の位置により、外周フィルター３の隙間４と内周フィルター７の隙間１２が重なって、フィルター自体が全開放される場合と、外周フィルター３の隙間４と内周フィルター７のメッシュ状の内周くし歯１１が重なり、フィルター自体がメッシュ構成となる場合とがあり、濃度や舌触りの違いをより大きくすることができる。
【００２５】
（実施の形態４）
図４は、本発明の第４の実施の形態におけるジューサーのフィルターの斜視図である。なお、上記実施の形態並びに従来例と同一部分には、同一符号を付して説明を省略し、相違点についてのみ説明する。
【００２６】
本実施の形態におけるジューサーのフィルター４５は、その外周フィルター３の、外周くし歯１が連結固定された上部外周枠体１３の円周方向に沿って、内周フィルター７の突起部８が嵌合する溝１４、１５を設け、その溝１４の深さと、溝１５の深さを異ならせたものである。
【００２７】
内周フィルター７の突起部８が、例えば、浅い溝１４にセットされた状態では、内周フィルター７の内周くし歯５は、外周フィルター３の外周くし歯１よりも上側になり、外周フィルター３の隙間４と分離籠１９との間に隙間ができるように構成されている。また、内周フィルター７の突起部８が、深い溝１５にセットされた状態では、内周フィルター７の内周くし歯５と外周フィルター３の外周くし歯１は、同一面になると共に、分離籠１９の底面に接触するように構成されている。
【００２８】
さらに、本実施の形態では、図４に示すように、内周フィルター７の上部に、把手１６の両端が回動自在に軸支されている。
【００２９】
以上のように、本実施の形態によれば、内周フィルター７の内周くし歯５の高さを変えることでフィルター自体の隙間を調整できるので、濃度や舌触りを変更することができる。また、内周フィルター７の上部に設けた把手１６は、回動自在なので、ジューサー使用中は邪魔にならず、また、ジュースの濃度や舌触りを変えるときは、把手１６を起こして、内周フィルター７を持ち上げれば、容易に突起部８と溝の位置換えをおこなうことができる。
【産業上の利用可能性】
【００３０】
以上のように、本発明にかかるジューサーは、フィルターの隙間を調整することで濃度や舌触りを調整することができるので、粕滞留式のジューサーや遠心分離器などの用途にも適用できる。
【図面の簡単な説明】
【００３１】
【図１】本発明の実施の形態１におけるジューサーのフィルターの斜視図
【図２】本発明の実施の形態２におけるジューサーのフィルターの斜視図
【図３】本発明の実施の形態３におけるジューサーのフィルターの斜視図
【図４】本発明の実施の形態４におけるジューサーのフィルターの斜視図
【図５】従来のジューサーの断面図
【図６】同ジューサーのフィルターの断面図
【符号の説明】
【００３２】
１  外周くし歯（くし歯）
３  外周フィルター
５、１１  内周くし歯（くし歯）
７  内周フィルター
８  突起部
９、１４、１５  溝
１０  メッシュ
１６  把手
１７  電動機
１８  カッター
１９  分離籠
３０、３５、４０、４５  フィルター
【図１】
2008104564.tif 000003
【図２】
2008104564.tif 000004
【図３】
2008104564.tif 000005
【図４】
2008104564.tif 000006
【図５】
2008104564.tif 000007
【図６】
2008104564.tif 000008